(57)【要約】【課題】提供する。【解決手段】本発明の表示装置６１は、自己発光する表示素子６３と、熱伝導層６６を有するとともに、前記表示素子６３がボンディングされた基板６４と、を備え、前記基板６４の外周部に、前記熱伝導層６６が露出し、かつ、被接続部６８に接続可能な接続部６８が設けられていること、を特徴とする。【選択図】図２
2015012476.tif 000002
【特許請求の範囲】
【請求項１】
自己発光する表示素子と、
熱伝導層を有するとともに、前記表示素子がボンディングされた基板と、を備え、
前記基板の外周部に、前記熱伝導層が露出し、かつ、被接続部に接続可能な接続部が設けられていること、
を特徴とする表示装置。
【請求項２】
請求項１に記載の表示装置であって、
前記基板は、メタルコア基板であること、
を特徴とする表示装置。
【請求項３】
請求項１または２に記載の表示装置であって、
前記表示素子は、有機エレクトロルミネッセンス素子であること、
を特徴とする表示装置。
【請求項４】
請求項１から３のいずれか１項に記載の表示装置を備える電子ビューファインダ。
【請求項５】
請求項１から３の表示装置を備えるカメラ。
【発明の詳細な説明】
【技術分野】
【０００１】
本発明は、表示装置、電子ビューファインダ及びカメラに関するものである。
【背景技術】
【０００２】
有機ＥＬ素子は、薄型で軽量な自己発光素子として、カメラの電子ビューファインダ等への応用が期待されている。しかし、有機ＥＬ素子は発光時に熱が発生し、長時間使用すると発光特性が変化する等の問題がある。このため、従来、有機ＥＬ素子に直接グラファイトシートや金属板を接触させ、パネルから熱を逃がすことが行われている（特許文献１参照）。
【先行技術文献】
【特許文献】
【０００３】
【特許文献１】特開２０１０−２３１９７９号公報
【発明の概要】
【発明が解決しようとする課題】
【０００４】
しかし、上記従来技術において、金属にたまった熱をどこに逃がすかということは考えられていない。有機ＥＬ素子から金属板等へ逃がすことができ熱の量は、金属の熱容量で決まる。特にカメラのファイダ等で有機ＥＬ素子を使用することを考えた場合、カメラ内は密閉空間となるので、空冷はほとんど期待できず、伝熱による放熱が主となる。
有機ＥＬ素子からの放熱を考慮しなければ、長時間発光した場合、金属でも熱が飽和し、最終的には有機ＥＬ素子の寿命が、熱のダメージによって短くなる。このため、有機ＥＬ素子のローカルエリアにおいて焼き付きが生じる場合がある。
カメラのファイダ等で有機ＥＬ素子を使用する場合は、ＩＳＯ感度やシャッタ秒時等の撮影情報が焼き付く可能性があり、有機ＥＬ素子をファインダとして使用する場合の問題となっている。
【０００５】
本発明の課題は、効率よく放熱が可能な表示装置、電子ビューファインダ及びカメラを提供することである。
【課題を解決するための手段】
【０００６】
本発明は、以下のような解決手段により前記課題を解決する。
【０００７】
請求項１に記載の発明は、自己発光する表示素子と、熱伝導層を有するとともに、前記表示素子がボンディングされた基板と、を備え、前記基板の外周部に、前記熱伝導層が露出し、かつ、被接続部に接続可能な接続部が設けられていること、を特徴とする表示装置である。
請求項２に記載の発明は、請求項１に記載の表示装置であって、前記基板は、メタルコア基板であること、を特徴とする表示装置である。
請求項３に記載の発明は、請求項１または２に記載の表示装置であって、前記表示素子は、有機エレクトロルミネッセンス素子であること、を特徴とする表示装置である。
請求項４に記載の発明は、請求項１から３のいずれか１項に記載の表示装置を備える電子ビューファインダである。
請求項５に記載の発明は、請求項１から３の表示装置を備えるカメラである。
【発明の効果】
【０００８】
本発明によれば、効率よく放熱が可能な表示装置、電子ビューファインダ及びカメラを提供することができる。
【図面の簡単な説明】
【０００９】
【図１】実施形態の表示装置を備えたカメラの概略構成を示す図である。
【図２】表示装置の概略図である。
【発明を実施するための形態】
【００１０】
以下、図面等を参照して、本発明の表示装置６１の一実施形態について説明する。
図１は、実施形態の表示装置６１を備えたカメラ１の概略構成を示す図である。図２は、表示装置６１の概略図である。
カメラ１は、図１に示すように、撮影レンズ１０、撮像素子２０、操作部４０、ファインダ６０、制御部７０等を備えている。
なお、本実施形態においては撮影レンズ１０がカメラ本体と一体型のカメラ１について説明するが、これに限定されず、撮影レンズ１０がカメラ本体と着脱可能の、例えばミラーレスカメラ、一眼レフカメラであってもよい。
【００１１】
撮影レンズ１０は、例えば、フォーカスレンズやズームレンズ等を含む複数のレンズ群によって形成されている。複数のレンズ群は、光軸ＯＡ方向に沿って配列されている。撮影レンズ１０の一部は、アクチュエータ等を含むレンズ駆動部１１によって、光軸Ａ方向に進退動作を行うようになっている。撮影レンズ１０は、被写体像を撮像素子２０に結像させる。
【００１２】
撮像素子２０は、撮影レンズ１０を通過した被写体光を電気信号に変換して出力する光−電気変換素子である。
操作部４０は、撮影者等のカメラ１のユーザが操作する部材であり、例えば、カメラ１の電源のオン、オフ操作を行う際に操作する電源ボタン、カメラ１に撮影動作を行わせる際に操作するレリーズボタン等を含む。
【００１３】
ファインダ６０は、本実施形態においてＥＶＦ（Ｅｌｅｃｔｒｏｎｉｃ  Ｖｉｅｗ  Ｆｉｎｄｅｒ）であり、撮影者が撮影構図を決定する際（フレーミング時）に被写体像を観察するために使用する。このファインダ６０は本実施形態の表示装置６１を備えるものであり、その構成については、後に詳しく説明する。
【００１４】
制御部７０は、カメラ１に備えられた各電気要素を統括的に制御する部分であり、ＣＰＵ等の演算装置を含んでいる。この制御部７０には、撮像素子２０の出力（電気信号）に基づいて画像データを生成する信号処理回路が備えられている。
【００１５】
次に、カメラ１に備えられたファインダ６０の構成について説明する。図１に示すように、ファインダ６０は、表示装置６１及びレンズ群６２群を備えている。
【００１６】
レンズ群６２は、表示装置６１に対して観察方向手前側に配置されたレンズであり、表示装置６１に表示される画像を観察に適した画像とする。
【００１７】
表示装置６１は、図２に示すように、有機ＥＬ素子６３と、その有機ＥＬ素子６３がボンディングされたメタルコア基板６４と、有機ＥＬ素子６３を覆うカバー部６３ａとを備える。
【００１８】
有機ＥＬ素子６３は、有機薄膜を陽極と陰極で挟みこんだ構造であり、有機ＥＬ素子に直流電圧が印加されると、陽極から正孔（ホール）が、陰極から電子が注入され有機薄膜中で正孔と電子の結合が起こりエネルギーを発生する。
このときに発生したエネルギーが有機材料を励起し、励起状態から基底状態に戻るときに発光現象が起こる。そして、この発光によって、撮像素子によって撮像された画像が生成され、撮影者がフレーミングを行う際の、スルー画像表示が可能となる。
スルー画像とは、フレーミング時において、信号処理回路が撮像素子２０の出力に基づいて略リアルタイムで生成する動画像を意味し、撮影者は、ファインダ６０に表示されたスルー画像（被写体像）を観察しながらフレーミングを行うことが可能となる。
【００１９】
カバー部６３ａは、有機ＥＬ素子６３におけるメタルコア基板６４と反対側を覆い、有機ＥＬ素子６３への塵埃等の付着を防止するとともに、有機ＥＬ素子６３を保護する機能を有する。
【００２０】
メタルコア基板６４は、制御部７０からの信号に基づいて有機ＥＬ素子６３に電圧を印加する。メタルコア基板６４は、２枚の基板内部に金属板を挟み込んだ三層構造の基板であり、有機ＥＬ素子６３側から、有機ＥＬ素子６３がボンディングされている第１基板６５と、金属板６６と、第２基板６７とを有する。金属材料は、例えばアルミ・銅などである。なお、本発明において金属板に限定されず、熱伝導性を有する、例えばグラファイトシート等であっても良い。
【００２１】
第２基板６７は金属板６６と略同形であるが、第１基板６５は金属板６６よりも小さく、第１基板６５側からメタルコア基板６４を見たときに、金属板６６の表面において第１基板６５に覆われていない部分が存在し、その部分は露出部６８となっている。
その露出部６８においてメタルコア基板６４は、金属板６６と第２基板６７との２層構造で、貫通穴６９が設けられている。
【００２２】
一方、カメラには、表示装置６１を取り付けるために、シャーシやフレーム筐体に金属の壁部３０が設けられている。この壁部３０には、第１基板６５よりも大きい開口部３２が設けられており、またその開口部３２に第１基板６５を配置した際の、露出部６８の貫通穴６９の位置に合わせて、ねじ穴３１が設けられている。
そして、表示装置６１の露出部６８を壁部３０に接触させ、貫通穴６９及びねじ穴７１に、金属製のねじ３３を螺合させることで、表示装置６１は、壁部３０に固定される。
【００２３】
本実施形態によると、金属板６６と、カメラ１の筐体の金属の壁部３０とが接触している。したがって、図２において矢印で示すように、有機ＥＬ素子６３で発生した熱は、パネル内に篭らず、金属板６６を通って、カメラ１の壁部３０に放熱される。
これにより、ファインダとして有機ＥＬ素子６３を使用した際に発生した熱が、効率よく外部に放出される。したがって、有機ＥＬ素子の熱のダメージによる短寿命化が防止され、有機ＥＬ素子におけるローカルエリアでの焼きつきを防止することができる。
【符号の説明】
【００２４】
１：カメラ、６０：ファインダ、６１：表示装置、６２：レンズ群、６３：有機ＥＬ素子、６４：メタルコア基板、６５：第１基板、６６：金属板、６７：第２基板、６８：露出部、６９：貫通穴、７１：穴
【図１】
2015012476.tif 000003
【図２】
2015012476.tif 000004